(57)【要約】【課題】部分再生範囲を繰り返し再生している際に、聞き逃した箇所に戻って再生したい場合は、音声再生装置の巻き戻しボタン等で巻き戻し指示して戻り再生を再開しなければならず、さらに所望の箇所に必ず戻れるとは限らず、戻りすぎや、戻り足りない場合があり、シャドーイング学習に差し障りがあった。【解決手段】音声データのシャドーイング再生中に所望の再生位置に苦手マークを記録し、苦手マークのある再生位置に巻き戻して再生を可能にする。【選択図】図１
2015025842.tif 000002
【特許請求の範囲】
【請求項１】
音声データが記憶されている記憶手段と、
前記音声データに任意にアクセスして再生するための前記音声データの再生時刻に対して設定された第２のインデックスを入力する操作手段と、
前記音声データの複数の無音区間の終端時刻である第１のインデックスと前記第２のインデックスとを識別可能に管理する管理情報を生成する生成手段と、
前記音声データの再生を指示する指示手段と、
前記指示手段で指示された指示内容と前記管理情報に基づいて前記音声データの再生を制御する制御手段と、を備え、
前記制御手段は、
前記指示手段の再生指示を受け、ｎ−１番目（ｎは１以上の整数）の前記第１のインデックスとｎ番目の前記第１のインデックスの間の音声データを繰り返し再生し、
繰り返し再生中に前記指示手段の早送り再生指示を受けた時、
ｎ番目の前記第１のインデックスとｎ＋１番目の前記第１のインデックスの間の音声データを繰り返し再生し、
繰り返し再生中に前記指示手段の巻き戻し再生指示を受けた時、
ｎ−１番目の前記第１のインデックスとｎ番目の前記第１のインデックスの間に前記第２のインデックスが存在する場合、前記第２のインデックスより所定時刻前に戻って再生し、
ｎ−１番目の前記第１のインデックスとｎ番目の前記第１のインデックスの間に前記第２のインデックスが存在しない場合、ｎ−１番目の前記第１のインデックスに戻って再生する、音声再生装置。
【請求項２】
前記音声データの複数の無音区間の終端時刻を第１のインデックスとして検出する検出手段をさらに備える、請求項１記載の音声再生装置。
【発明の詳細な説明】
【技術分野】
【０００１】
本発明は、音声再生に関するものであり、特に音声コンテンツの再生を聞き取り、再生している後に声を出してついていくシャドーイング再生を行う音声再生装置および音声再生方法に関する。
【背景技術】
【０００２】
音楽データを少ない容量にエンコードする技術の向上、エンコードされたコンテンツ音質の向上などにより、ＣＤなどの媒体をデジタルデータに変換し、それを、内蔵メモリ付の音楽プレイヤーで聞いたり、多機能携帯電話のスマートフォンで聞くことが広がっている。
【０００３】
この環境を利用して、語学学習に利用する機会も多くなってきている。さらには語学学習専用の機能を持った再生機器も増えてきている。
【０００４】
語学学習の学習法のひとつとして、聞き取った音声コンテンツの発音を繰返し聞くことが行われている。特に、音声コンテンツの再生を聞き取り、再生している後について声を出してついていくシャドーイング学習法がある。
【０００５】
従来の音声再生装置としては、例えば特許文献１、特許文献２に開示されている。
【０００６】
特許文献１は、音声教材を単文または複文ごとなど、適度な長さに区分けした音声部分に、適度な長さの空白音声を付加したものを特定の回数繰り返した音声データセットを記録させたものを語学学習教材とし、これを再生させながら、シャドーイングする内容が開示されている。
【０００７】
特許文献２は、音声コンテンツを再生させながら、部分再生範囲の境界としたい区切りポイントを指定操作し、所望の部分再生範囲を選択して再生指示してシャドーイング学習を可能にする内容が開示されている。
【先行技術文献】
【特許文献】
【０００８】
【特許文献１】特開２０１０−１０７９２６号公報
【特許文献２】特開２０１０−２７８８号公報
【発明の概要】
【発明が解決しようとする課題】
【０００９】
しかしながら、従来の構成では、部分再生範囲を繰り返し再生している際に、聞き逃した箇所に戻って再生したい場合は、音声再生装置の巻き戻しボタン等で巻き戻し指示して戻り再生を再開しなければならず、さらに所望の箇所に必ず戻れるとは限らず、戻りすぎや、戻り足りない場合があり、シャドーイング学習に差し障りがあった。
【課題を解決するための手段】
【００１０】
従来の課題を解決するために、本発明の音声再生装置は、音声データが記憶されている記憶手段と、前記音声データに任意にアクセスして再生するための前記音声データの再生時刻に対して設定された第２のインデックスを入力する操作手段と、前記音声データの複数の無音区間の終端時刻である第１のインデックスと前記第２のインデックスとを識別可能に管理する管理情報を生成する生成手段と、前記音声データの再生を指示する指示手段と、前記指示手段で指示された指示内容と前記管理情報に基づいて前記音声データの再生を制御する制御手段と、を備え、前記制御手段は、前記指示手段の再生指示を受け、ｎ−１番目（ｎは１以上の整数）の前記第１のインデックスとｎ番目の前記第１のインデックスの間の音声データを繰り返し再生し、繰り返し再生中に前記指示手段の早送り再生指示を受けた時、ｎ番目の前記第１のインデックスとｎ＋１番目の前記第１のインデックスの間の音声データを繰り返し再生し、繰り返し再生中に前記指示手段の巻き戻し再生指示を受けた時、ｎ−１番目の前記第１のインデックスとｎ番目の前記第１のインデックスの間に前記第２のインデックスが存在する場合、前記第２のインデックスより所定時刻前に戻って再生し、ｎ−１番目の前記第１のインデックスとｎ番目の前記第１のインデックスの間に前記第２のインデックスが存在しない場合、ｎ−１番目の前記第１のインデックスに戻って再生する。
【００１１】
本構成によって、シャドーイング再生中に所望の箇所に簡単に戻ってシャドーイング再生を再開することができる。
【発明の効果】
【００１２】
本発明の音声再生装置によれば、ユーザがシャドーイング再生中に戻りたい箇所を指定可能な苦手マークを設定することで、シャドーイング再生中に所望の箇所に簡単に戻ってシャドーイング再生を再開することができる。
【図面の簡単な説明】
【００１３】
【図１】実施の形態における音声再生装置の外観図
【図２】実施の形態における音声再生装置のブロック図
【図３】実施の形態における音声データのシャドーイング再生中の苦手マークの利用の一例を説明する図
【図４】実施の形態における音声コンテンツの一例を示す図
【図５】実施の形態における音声再生のフローチャート
【発明を実施するための形態】
【００１４】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１５】
なお、出願人は、当業者が本開示を十分に理解するために添付図面および以下の説明を提供するのであって、これらによって特許請求の範囲に記載の主題を限定することを意図するものではない。
【００１６】
（実施の形態１）
図１は本実施の形態の音声再生装置の外観図である。音声再生装置の典型的な機器の例としてはＩＣレコーダーがある。音声再生装置１０１は、各種情報の表示を行うためのＬＣＤ（Ｌｉｑｕｉｄ  Ｃｒｙｓｔａｌ  Ｄｉｓｐｌａｙ）１０２と、各種設定等の操作の指示を行うためのＭＥＮＵキー１０３、音声データの再生を停止指示をする停止キー１０４、音声を録音する録音キー１０５、音声データの再生指示をするＰＬＡＹキー１０６、音声データの再生を巻き戻す指示をするＲＥＷキー１０７、音声データの再生を前送りする指示をするＦＷＤキー１０８、後述する苦手位置を指定する苦手キー１０９を備えている。
【００１７】
図２は本実施の形態の音声再生装置のブロック図である。メイン制御回路２０１は各部のコントロールを行う。ＵＳＢインターフェース２０２はパソコン等の外部の機器のＵＳＢ端子を介してデータのやり取りを行う。メイン制御回路２０１は、メイン制御部２０３、内蔵メモリ２０６、デコーダ２０９を備えている。キー操作部２０４は、ユーザからの操作指示をメイン制御部２０３に供給する。ＬＣＤ２０５は、メイン制御部２０３からの制御に対応させて音声再生装置１０１の再生状態等の表示を行う。外部メモリ２１３はプログラムが格納されており、ＮＯＲ型フラッシュメモリやＲＯＭで構成される。２０７はＳＤカード、２０８はＳＤカード２０７とメイン制御回路２０１との間のデータの授受を制御するＳＤカードインターフェースである。デコーダ２０９は内蔵メモリ２０６に格納またはＵＳＢインターフェース２０２やＳＤカードインターフェース２０８から供給されるＭＰ３形式やＷＭＡ形式に符号化された音声コンテンツを復号化する。２１０はデコーダ２０９で復号化された音声データを出力するコーデックである。２１１はコーデック２１０が出力した音声データを再生するヘッドフォン、２１２はコーデック２１０が出力した音声データを再生するスピーカである。
【００１８】
図３は音声データのシャドーイング再生中の苦手マークの利用の一例を説明する図である。時間軸は左から右に時刻が進み、音声コンテンツが再生されていくものとする。また、音声コンテンツには、センテンス毎に区切られた第１のインデックスである、Ｉｎｄｅｘ１からＩｎｄｅｘ３が設定されており、この第１のインデックスで区切られた区間をセンテンス１からセンテンス４とする。
【００１９】
シャドーイング学習として、音声データの１つのセンテンスを繰り返し再生する動作を説明する。再生を開始すると、まずセンテンス１の再生が開始され、センテンス１の終端であるＩｎｄｅｘ１の位置まで再生すると、センテンス１の先頭に戻り、先頭とＩｎｄｅｘ１の位置の間を繰り返し再生する。
【００２０】
センテンス１の繰り返し再生中に、ユーザが聞き取れない、または聞き取りにくい等の箇所をマーキングするため、苦手キー１０９を押下できる。苦手キー１０９を検出すると、メイン制御部２０３は内蔵メモリ２０６に格納されているインデックスファイルに、第２のインデックスである、苦手マーク１としてファイル位置情報を登録する。その後、センテンス１の終端まで再生した後、センテンス１の先頭位置に戻り再生を繰り返す。
【００２１】
さらに、センテンス１の繰り返し再生中にＦＷＤキー１０８を押下する。ＦＷＤキー１０８を検出すると、メイン制御部２０３は内蔵メモリ２０６に格納されているインデックスファイルを読み込み、Ｉｎｄｅｘ１のファイル位置に移動し、センテンス２の繰り返し再生を開始する。
【００２２】
さらに、センテンス３の繰り返し再生中に苦手キー１０９を押下する。苦手キー１０９を検出すると、メイン制御部２０３は内蔵メモリ２０６に格納されているインデックスファイルに、苦手マーク２のファイル位置情報を登録する。苦手マーク２の登録後、苦手マーク２とＩｎｄｅｘ３の間を再生中にＲＥＷキー１０７を押下する。ＲＥＷキー１０７を検出すると、メイン制御部２０３は内蔵メモリ２０６に格納されているインデックスファイルを読み込み、ＲＥＷキー１０７検出時の再生位置とセンテンス３の先頭との間に登録されている苦手マーク２のファイル位置から数秒（例えば３秒程度）戻った位置に移動し再生を開始する。その後、センテンス３の終端まで再生した後、センテンス３の先頭位置に移動し再生を繰り返す。
【００２３】
さらに、センテンス４の繰り返し再生中にＲＥＷキー１０７を押下する。ＲＥＷキー１０７を検出すると、メイン制御部２０３は内蔵メモリ２０６に格納されているインデックスファイルを読み込み、現在の再生位置とセンテンス４の先頭位置との間に苦手マークが登録されているか確認し、苦手マークが登録されていないため、Ｉｎｄｅｘ３に移動し、センテンス４の再生を繰り返す。
【００２４】
このように第１のインデックスとは異なる第２のインデックスである苦手マークを登録することで、繰り返し再生中にユーザの音声コンテンツの聞き取りの苦手な箇所の再生を容易に行うことができる。
【００２５】
なお、苦手マークへ移動した後の再生は通常再生よりも自動的に再生速度を遅くする設定にしてもよいし、あるいは、苦手マーク位置からどの程度戻るかを具体的に指定可能にする等の詳細設定を行っても良い。
【００２６】
図４は音声コンテンツと、それに対応するインデックス情報と苦手マーク情報とが記録されたインデックスファイルの一例を示す図である。音声コンテンツであるｆｉｌｅ１．ｍｐ３とインデックスファイルであるｆｉｌｅ１．ＩＮＸは一対一で対応づけられており、インデックスファイルには、インデックスの総数、各インデックスのファイル位置、苦手マークの総数、及び、各苦手マークのファイル位置が記録される。インデックスファイルｆｉｌｅ１．ＩＮＸはインデックスがｎ個、苦手マークがｍ個設定されている場合を示す一例である（ｎは１以上の整数、ｍは１以上の整数）。
【００２７】
図５は音声再生装置の音声再生のフローチャートである。図１、図２、図４を用いて、音声再生装置の音声再生動作を説明する。
【００２８】
音声再生装置には音声コンテンツが内蔵メモリ２０６に格納されているものとする。音声コンテンツはＳＤカード２０７からＳＤカードインターフェース２０８を介してまたは、ＵＳＢインターフェース２０２を介して音声コンテンツを転送して内蔵メモリ２０６に格納されてもよい。
【００２９】
音声再生装置の電源をオンすると、内蔵メモリ２０６に格納されているプログラムを読み出す。ＭＥＮＵキー１０３でメニュー設定モードに移行し、ＲＥＷキー１０７／ＦＷＤキー１０８で繰り返し再生設定ＯＮを選択し、ＰＬＡＹキー１０６で決定する。次に、ＰＬＡＹキー１０６を押すと、選択された音声コンテンツを内蔵メモリ２０６から読み出す（Ｓ５０１）。デコーダ２０９で音声コンテンツをデコードし、コーデック２１０で再生して、インデックスｎ−１とインデックスｎの間（センテンスｎ）の繰り返し再生を開始する（ｎは１以上の整数、）（Ｓ５０２）。センテンスｎの終端に達したか確認する（Ｓ５０３）。センテンスｎの終端に達した場合、インデックスファイルｆｉｌｅ１．ＩＮＸからインデックスｎ−１のファイル位置を読み出し、インデックスｎ−１のファイル位置に移動後、繰り返し再生を継続する（Ｓ５０８）。センテンスｎの終端に達していない場合、キー検出を行う（Ｓ５０４）。検出したキーの種類（Ｓ５０５）がＲＥＷキー１０７の場合、インデックスファイルｆｉｌｅ１．ＩＮＸを読み出し、現在の再生位置と、インデックスｎ−１との間に苦手マークが登録されているか判定する（Ｓ５０７）。苦手マークが登録されている場合は、苦手マークのファイル位置の数秒前（例えば３秒）に戻る（Ｓ５０９）。苦手マークが登録されていない場合はインデックスｎ−１のファイル位置に戻り、センテンスｎの繰り返し再生を継続する（Ｓ５０８）。検出したキーが苦手キー１０９の場合、インデックスファイルｆｉｌｅ１．ＩＮＸに現在の再生位置を苦手マークとして追加登録する（Ｓ５０６）。検出したキーの種類がＦＷＤキー１０８の場合、インデックスファイルｆｉｌｅ１．ＩＮＸを読み出し、インデックスｎ＋１が登録されているか確認する（Ｓ５１０）。インデックスｎ＋１が登録されていない場合は、再生を終了し停止する。インデックスｎ＋１が登録されている場合、インデックスｎのファイル位置に移動し、インデックスｎとインデックスｎ＋１の間（センテンスｎ＋１）を繰り返し再生する（Ｓ５２０）。検出したキーが停止キー１０４の場合、再生を終了し停止する。検出したキーが上記以外の場合は、繰り返し再生を継続する。
【００３０】
これにより、苦手マークを登録しておくことでシャドーイング再生中に所望の再生位置に簡単に戻ってシャドーイングの繰り返し再生を再開することができる。
【００３１】
なお、第１のインデックスはインデックスファイルにあらかじめ記憶されているように説明したが、音声コンテンツから無音区間を検出して終端位置を第１のインデックスとしてインデックスファイルに記憶するようにしてもよい。
【００３２】
以上のように、添付図面および詳細な説明によって、出願人がベストモードと考える実施の形態と他の実施の形態とを提供した。これらは、特定の実施の形態を参照することにより、当業者に対して、特許請求の範囲に記載の主題を例証するために提供されるものである。したがって、添付図面および詳細な説明に記載された構成要素の中には、課題解決のために必須な構成要素だけでなく、それ以外の構成要素も含まれ得る。そのため、それらの必須ではない構成要素が添付図面や詳細な説明に記載されているからといって、直ちにそれらの必須ではない構成要素が必須であるとの認定を受けるべきではない。また、特許請求の範囲またはその均等の範囲において、上述の実施の形態に対して、種々の変更、置き換え、付加、省略などを行うことができる。
【産業上の利用可能性】
【００３３】
本発明は、音声再生に関するものであり、特に音声コンテンツの再生を聞き取り、再生している後に声を出してついていくシャドーイング再生を行う音声再生装置および音声再生方法に利用可能である。
【符号の説明】
【００３４】
１０１  音声再生装置
１０２  ＬＣＤ
１０３  ＭＥＮＵキー
１０４  停止キー
１０５  録音キー
１０６  ＰＬＡＹキー
１０７  ＲＥＷキー
１０８  ＦＷＤキー
１０９  苦手キー
２０１  メイン制御回路
２０２  ＵＳＢインターフェース
２０３  メイン制御部
２０４  キー操作部
２０５  ＬＣＤ
２０６  内蔵メモリ
２０７  ＳＤカード
２０８  ＳＤカードインターフェース
２０９  デコーダ
２１０  コーデック
２１１  ヘッドフォン
２１２  スピーカ
２１３  外部メモリ
【図１】
2015025842.tif 000003
【図２】
2015025842.tif 000004
【図３】
2015025842.tif 000005
【図４】
2015025842.tif 000006
【図５】
2015025842.tif 000007